(57)【特許請求の範囲】
【請求項１】
双頭の吐出部に装着されるノズルユニットを備え、該ノズルユニットは前記双頭の吐出部に接続される一対の接続部と、一対の接続部を連結する連結部と、連結部に設けた吐水部と、吐水部に接続されるノズルとから構成されることを特徴とする水やり装置。
【請求項２】
双頭の吐出部が回動自在であることを特徴とする請求項１記載の水やり装置。
【請求項３】
ノズルが吐水ノズル又は噴霧ノズルであることを特徴とする請求項１又は請求項２記載の水やり装置。
【発明の詳細な説明】
【０００１】
【発明の属する技術分野】
本発明は、水やり装置に関するものである。
【０００２】
【従来の技術】
従来、噴霧器の先端部に噴霧ノズルを設けて噴霧するものが知られているが、噴霧に当たって広範囲の噴霧を可能とするために、吐出部を双頭とし、この双頭の吐出部にそれぞれ噴霧ノズルを取付けるものが市販されている。
【０００３】
一方、従来の噴霧器においては薬剤、農薬を噴霧して使用するようになっているのみで、薬剤、農薬の噴霧以外の他の用途はなかった。ところで、薬剤、農薬の噴霧は使用頻度が少なく、例えば、１乃至数ヶ月に１乃至数回使用する程度で、使用していないときは保管場所を取るのみで、日常的に有効使用されておらず、その間無駄に保管されているのみであった。
【０００４】
そこで、吐出部に植物に給水するための吐水ノズルを取付けることが考えられるが、双頭の吐出部の場合、各々の吐出部に吐水ノズルを取付けると、限定された範囲に有効に水の供給ができないという問題があり、日常的に吐水用として使用することができない。
【０００５】
また、従来の双頭タイプの噴霧においては、比較的狭い範囲においての噴霧には向かないという問題がある。
【０００６】
【発明が解決しようとする課題】
本発明は上記の点に鑑みてなされたものであり、簡単な構成で、市販の双頭の吐出部を利用して一つのノズルから水やりする（水やりの概念には水のみでなく、液肥、薬剤、農薬の供給も含む概念とする）ことができる水やり装置を提供することを課題とするものである。
【０００７】
【課題を解決するための手段】
上記課題を解決するために本発明に係る水やり装置は、双頭の吐出部３に装着されるノズルユニットＡを備え、該ノズルユニットＡは前記双頭の吐出部３に接続される一対の接続部２０と、一対の接続部２０を連結する連結部２１と、連結部２１に設けた吐水部１９と、吐水部１９に接続されるノズルとから構成されることを特徴とするものである。このような構成とすることで、市販の双頭の吐出部３にノズルユニットＡの一対の接続部２０を接続するのみで１つのノズルによる水やりができることになる。
【０００８】
また、双頭の吐出部３が回動自在であることが好ましい。このような構成とすることで、水やりがし難い箇所であっても双頭の吐出部３を回動することで、ノズルの向きを変えて簡単且つ確実に水やりができることになる。
【０００９】
また、ノズルが吐水ノズル５又は噴霧ノズル４であることが好ましい。このような構成とすることで、目的に応じた多様な水やりが可能となる。
【００１０】
【発明の実施の形態】
以下、本発明を添付図面に示す実施形態に基づいて説明する。
【００１１】
図１には本発明の水やり装置の全体図が示してある。水やり装置本体６にはタンク１が取付けてあり、タンク１には着脱自在な蓋を有する給水口７が設けてある。タンク１を備えた水やり装置本体６には把手８が設けてあって、手で持って持ち運び自在な携帯式となっている。水やり装置本体６内には図示を省略しているが、タンク１内の液体を加圧供給する供給手段を構成するポンプが内装してあり、このポンプによりタンク１内の液体を後述のホース９やポール１０等から構成される液体通路２に加圧供給するようになっている。また、ポンプは充電池等の電池を水やり装置本体６にセットすることで駆動するようになっているが、ポンプの駆動に当たっては電池をセットすることによって行うもののみに限定されず、電源コードを用いて給電することで駆動したりしてもよいが、ポンプとして上記のような電動式ポンプでなく、手動ポンプを用いるようにしてもよいものである。
【００１２】
水やり装置本体６からは液体通路２の一部を構成するホース９が導出してあり、ホース９の先端部にはグリップ部１１を介してポール１０が接続してある。本実施形態ではポール１０が伸縮自在となっていて高所における水やりができるようになっており、また、グリップ部１１にはスイッチのような操作部１２が設けてあり、操作部１２を操作することで、ポンプを駆動してタンク１内の液体を液体通路２に供給したり、供給停止したりするようになっている。水やり装置本体６にはグリップ部１１を着脱自在に取付けるための受け部１３が設けてある。
【００１３】
ポール１０の先端部には双頭の吐出部３が設けてある。双頭の吐出部３は首振り自在となっている。図４に示すように、双頭の吐出部３はポール１０の先端部に取付けられるＴ字状をした基部筒体１４と、２個のＬ字状をした吐出筒体１５とで構成してある。基部筒体１４はＴ字状をしていて、Ｔ字状をした基部筒体１４の先端部の両側に横向き軸筒部１４ａを設けて構成してあり、このＴ字状をした基部筒体１４の両横向き軸筒部１４ａに、Ｌ字状をした吐出筒体１５の回動用筒部１７をＯリングを介して回動自在に被嵌してある。
【００１４】
このように、液体通路２の先端部に双頭の吐出部３を設けたものは既に市販されており、市販品は双頭の吐出部３に２個の噴霧ノズルを取付けて広い範囲の噴霧ができるようにしたものである。
【００１５】
本発明においては上記のように双頭の吐出部３を有する市販の噴霧器をそのままま利用し、双頭の吐出部に１つのノズルを備えたノズルユニットＡを取付けることに特徴がある。
【００１６】
双頭の吐出部３に装着されるノズルユニットＡは、前記双頭の吐出部３の両吐出筒体１５に接続される一対の接続部２０と、一対の接続部２０を連結する連結部２１と、連結部２１に設けた吐水部１９と、吐水部１９に接続されるノズルとから構成してある。一対の接続部２０はＬ字状をした筒体２０ｂにより構成してあり、該Ｌ字状の接続部２０の一端部同士を連結部２１の筒部２１ａにより連結してあり、そして、両側の筒体２０ｂの先端部は連結部２１の筒部２１ａ内で隙間１８を介して対向していて、この隙間１８と連結部２１から突設した筒状をした吐水部１９とが連通している。筒状の吐水部１９には雄ねじ部１９ａが設けてある。そして、この雄ねじ部１９ａに後述の噴霧ノズル４や、吐水ノズル５等のノズルを選択的に取付けるようになっている。
【００１７】
上記の構成の１つのノズルを備えたノズルユニットＡは、双頭の吐出部３の両吐出筒体１５にノズルユニットＡに設けた一対の接続部２０の開口端部２０ａを嵌め込んで接続し、Ｏリングにより水密を確保するようになっている。このようにして双頭の吐出部３にノズルユニットＡを取付けるのであるが、本発明においては双頭の吐出部３が回動自在であるため、ノズルユニットＡのノズルの向きを変えることができる。
【００１８】
本発明におけるノズルユニットＡに取付ける１つのノズルとしては吐水ノズル５と、噴霧ノズル４とが用いられる。図３乃至図８には本発明に用いる吐水ノズル５が示してあり、図９、図１０には本発明に用いる噴霧ノズル４が示してある。
【００１９】
まず、吐水ノズル５につき説明する。吐水ノズル５は吐水用本体筒３０と、吐水用本体筒３０に対して回動自在に取付けられた吐水用ノズル部３１とで構成してある。吐水用本体筒３０は大径筒部３０ａと大径筒部３０ａの先端部に連続する小径筒部３０ｂとで構成してある。大径筒部３０ａ内には大径の嵌め込み孔３０ｃが形成してあり、嵌め込み孔３０ｃ内周には雌ねじ部３０ｄが設けてあり、嵌め込み孔３０ｃの雌ねじ部３０ｄより奥側内面にはＯリングが装着してある。
【００２０】
小径筒部３０ｂには嵌め込み孔３０ｃと連通し且つ嵌め込み孔３０ｃよりも小径の水路３０ｅが設けてあり、小径の水路３０ｅは小径筒部３０ｂの軸方向に形成してあり、小径筒部３０ｂの先端部においては小径筒部３０ｂの前端遮蔽部３０ｆにより該水路３０ｅが遮蔽してある。
【００２１】
小径筒部３０ｂは軸方向の後半部にはシャワー水側孔３０ｇが設けてあり、小径筒部３０ｂは軸方向の前半部には水差し側孔３０ｈが設けてあり、シャワー水側孔３０ｇと水差し側孔３０ｈとはいずれも内側端部が水路３０ｅに連通し、外側端部が小径筒部３０ｂの外面側に開口している。また、小径筒部３０ｂの軸方向の後半部の外面にはシャワー水側孔３０ｇの軸方向の両側にＯリング３０ｉが装着してあり、また、小径筒部３０ｂの軸方向の前半部の外面には水差し側孔３０ｈの軸方向の両側にＯリング３０ｉが装着してある。
【００２２】
小径筒部３０ｂの軸方向の前半部（つまり、水差し側孔３０ｈを設けた方）は後半部（つまり、シャワー水側孔３０ｇを設けた方）よりも小径となっていて細径部３０ｋとなっている。この水差し側孔３０ｈを設けた細径部３０ｋは、前側においてＯリング３０ｉを取付けた部分が後側（つまり水差し側孔３０ｈより後側）においてＯリング３０ｉを取付けた部分よりも小径となっていて前細部３０ｍとなっている。さらに、この細径部３０ｋのうち水差し側孔３０ｈを設けた部分の外面付近から上記前細径部３０ｋにおいてＯリング３０ｉを取付けた部分にかけて前方側程小径となるテーパ部が形成してある。また、小径筒部３０ｂの大径筒部３０ａ側（つまり後側）の基部には雄ねじ部３０ｊが設けてある。
【００２３】
吐水用ノズル部３１は内周部に雌ねじ部３１ａを設けた嵌め込み用外筒部３１ｂと、嵌め込み用外筒部３１ｂの前端部に連設した大径の液溜め形成用外筒部３１ｃと、吐水部材３１ｄと、吐水部材３１ｄを液溜め形成用外筒部３１ｃの先端部に取付けるための吐水部材取付け部材３１ｅとで構成してある。
【００２４】
嵌め込み用外筒部３１ｂは小径筒部３０ｂにはめ込まれ、雌ねじ部３１ａを小径筒部３０ｂの雄ねじ部３０ｊに深浅自在に螺合することで取付けてある。雌ねじ部３１ａを雄ねじ部３０ｊに螺合して取付けた状態で、大径の液溜め形成用外筒部３１ｃの内周部と小径筒部３０ｂとの間に隙間が形成されて該隙間が液溜め部３２となっている。
【００２５】
液溜め形成用外筒部３１ｃの前端部外周には雄ねじ部３１ｆが形成してあり、この雄ねじ部３１ｆの前端面に吐水部材３１ｄの円板部３１ｇの外周部に周設した段付きの鍔部３１ｈを当接し、内周に雌ねじ部３１ｉを形成した筒状をした吐水部材取付け部材３１ｅを雌ねじ部３１ｆに螺合することで吐水部材取付け部材３１ｅの前端部内周に設けた内鍔部３１ｊにより鍔部３１ｈを押さえ付けることで吐水部材３１ｄを液溜め形成用外筒部３１ｃの前端に着脱自在に取付けてある。
【００２６】
ここで、吐水部材３１ｄの円板部３１ｇの中央部には噴射用筒部３１ｋが背方に向けて突設してあり、この噴射用筒部３１ｋの内部の孔は貫通孔となっており、該孔の内径は前部が小径孔部３１ｍ、後部が大径孔部３１ｎとなっており、小径孔部３１ｍと大径孔部３１ｎとの間が前方ほど小径となる傾斜孔部３１ｏとなっている。また、吐水部材３１ｄの円板部３１ｇには噴射用筒部３１ｋを囲むように多数のシャワー用小孔３１ｐが形成してある。
【００２７】
そして、上記のように吐水部材３１ｄを液溜め形成用外筒部３１ｃの前端に取付けた状態で、噴射用筒部３１ｋが小径筒部３０ｂの前半部の細径部３０ｋに被嵌されるようになっている。
【００２８】
上記の構成の吐水ノズル５は図３、図４に示すように、嵌め込み孔３０ｃ内周に設けた雌ねじ部３０ｄを筒状の吐水部１９の雄ねじ部１９ａに着脱自在に取付けることができるようになっている。
【００２９】
ここで、ノズル接続部１６に吐水ノズル５を取付けた状態で、嵌め込み用外筒部３１ｂの雌ねじ部３１ａを小径筒部３０ｂの雄ねじ部３０ｊに螺合した際における螺合深さを深くした場合が図７の状態であり、螺合深さを浅くした場合が図８の状態である。
【００３０】
図７のように雌ねじ部３１ａの雄ねじ部３０ｊへの螺合深さを深くした場合には、シャワー水側孔３０ｇの両側のＯリング３０ｉのうち、後側のＯリング３０ｉ（大径筒部３０ａ側に近い方のＯリング３０ｉ）のみが嵌め込み用外筒部３１ｂの内面に密接し、シャワー水側孔３０ｇが液溜め部３２に開口した状態となり、また、水差し側孔３０ｈの両側のＯリング３０ｉのうち、前側のＯリング３０ｉが噴射用筒部３１ｋの小径孔部３１ｍの内面に密接すると共に、後側のＯリング３０ｉが噴射用筒部３１ｋの大径孔部３１ｎの内面に密接して水差し側孔３０ｈから液体が流れず、したがって、噴射用筒部３１ｋの前端からは液体が出ないようになっている。この状態で、操作部１２を操作することで、ポンプを駆動してタンク１内の液体を液体通路２に供給し、双頭の吐出部３で２つの流れに分流するが、ノズルユニットＡの一対の接続部２０を経て連結部２１で合流し、吐水部１９を経て、吐水ノズル５の水路３０ｅに流れ、水路３０ｅからシャワー水側孔３０ｇを経て液溜め部３２に流れ込み、液溜め部３２に流れ込んだ液体が液溜め部３２から多数のシャワー用小孔３１ｐを経て図１１（ａ）に示すように、シャワーとなって吐水される。したがって、植物に対してシャワーとして液体を供給することができることになる。この場合、タンク１内に水を入れておくことで、通常のシャワー給水と同じようにして多数のシャワー用小孔３１ｐからシャワー水として植物に給水できるものである。このようｎａ、シャワー吐水するには高圧状態は必要でなく、液溜め部３２に溜めた液を多数のシャワー水側孔３０ｇから約１．５ｋｇ／ｃｍ２程度で連続的に噴射するものである。
【００３１】
また、吐水用ノズル部３１を指で摘んで回転して、図８のように雌ねじ部３１ａの雄ねじ部３０ｊへの螺合深さを浅くした場合には、シャワー水側孔３０ｇの両側のＯリング３０ｉｇａいずれも嵌め込み用外筒部３１の内面に密接してシャワー水側孔３０ｇが液溜め部３２を非連通状態となり、また、水差し側孔３０ｈの両側のＯリング３０ｉのうち、後側のＯリング３０ｉが噴射用筒部３１ｋの大径孔部３１ｎの内面に密接するが、前側のＯリング３０ｉが噴射用筒部３１ｋの小径孔部３１ｍから離れて、傾斜孔部３１ｏまたは大径孔部３１ｎ内に位置し、該Ｏリング３０ｉと傾斜孔部３１ｏまたは大径孔部３１ｎとの間に隙間が生じ、水差し側孔３０ｈと噴射用筒部３１ｋの前端開口とが連通し、噴射用筒部３１ｋの前端開口から液体が吐出することができるようになっている。したがって、この状態で、操作部１２を操作することで、ポンプを駆動してタンク１内の液体を液体通路２に供給し、双頭の吐出部３で２つの流れに分流するが、ノズルユニットＡの一対の接続部２０を経て連結部２１で合流し、吐水部１９を経て、吐水ノズル５の水路３０ｅに流れ、水路３０ｅから水差し側孔３０ｈを経て噴射用筒部３１ｋの前端開口から図１１（ｂ）に示すように吐水される。したがって、植物に対して１箇所にまとめて水さしすることができる。この場合、タンク１内に水を入れておくことで、通常の水さしと同様に植物に給水することができ、また、タンク１に液肥を入れておくと、植物に対して液肥を１箇所にまとめて液肥さしをすることができるものである。
【００３２】
そして、上記のシャワーによる植物への給水、又は植物に対して１箇所にまとめて水差しすることによる給水は同一の吐水ノズル５を用いて、吐水用ノズル部３１を指で摘んで回転することで、切り換えることができるものである。
【００３３】
次に、噴霧ノズル４につき説明する。
【００３４】
噴霧ノズル４は図９、図１０に示すように、噴霧用本体４０と、噴霧用本体４０に回動自在に取付けられた噴霧用ノズル部４１とで構成してある。
【００３５】
噴霧用本体４０は大径筒部４０ａと大径筒部４０ａの先端部に連続する小径筒部４０ｂとで構成してある。大径筒部４０ａ内には大径の嵌め込み孔４０ｃが形成してあり、嵌め込み孔４０ｃ内周には雌ねじ部４０ｄが設けてあり、嵌め込み孔４０ｃの雌ねじ部４０ｄより奥側内面には図示を省略しているがＯリングが装着される。
【００３６】
小径筒部４０ｂには嵌め込み孔４０ｃに連通し且つ嵌め込み孔４０ｃよりも小径の水路４０ｅが設けてあり、小径の水路４０ｅは小径筒部４０ｂの軸方向に形成してあり、小径筒部４０ｂの先端部においては小径筒部４０ｂの前端遮蔽部４０ｆにより該水路４０ｅが遮蔽してある。
【００３７】
小径筒部４０ｂは軸方向の前端部の前端遮蔽部４０ｆの外周面は前方側ほど小径となるような円錐台形状をしており、この前端遮蔽部４０ｆの外周に、小径筒部４０ｂの軸方向に対して傾斜した傾斜溝４０ｇが設けてあり、小径筒部４０ｂの前端遮蔽部４０ｆの後方位置の外周に周溝４０ｈが形成してあり、傾斜溝４０ｇの後端が周溝４０ｈに連通しており、また、小径筒部４０ｂの前部には流出孔４０ｉが形成してあり、この流出孔４０ｉは外端が周溝４０ｈに連通すると共に内端が水路４０ｅに連通してある。また、小径筒部４０ｂの外周の後部（つまり大径筒部４０ａ側に近い方の端部）には雄ねじ部４０ｊが設けてあり、小径筒部４０ｂの外周の雄ねじ部４０ｊと周溝４０ｈとの間にはＯリング４０ｋが装着してある。
【００３８】
噴霧用ノズル部４１はノズル筒４１ａの後部内周部に雌ねじ部４１ｂを設け、ノズル筒４１ａの前部の内周部が前に行くほど小径となるテーパ孔部４１ｅとなっており、テーパ孔部４１ｅの前部に中央部に噴射孔４１ｃを有する噴射プレート４１ｄを装着してある。
【００３９】
噴霧用本体４０の雄ねじ部４０ｊには噴霧用ノズル部４１の雌ねじ部４１ｂが深浅自在に螺合してある。
【００４０】
上記の構成の噴霧ノズル４は嵌め込み孔４０ｃ内周に設けた雌ねじ部４０ｄを筒状をした吐水部１９に設けた雄ねじ部１９ａに着脱自在に取付けることができるようになっている。
【００４１】
ここで、吐水部１９に噴霧ノズル４を取付けた状態で、噴霧用ノズル部４１の雌ねじ部４１ｂと小径筒部４０ｂの雄ねじ部４０ｊとを螺合した際における螺合深さを深くした場合が図９の状態であり、螺合深さを浅くした場合が図１０の状態である。
【００４２】
図９のように雌ねじ部４１ｂの雄ねじ部４０ｊへの螺合深さを深くした場合には、ノズル筒部４１ａのテーパ孔部４１ｅに円錐台形状をした小径筒部４０ｂの前端部の前端遮蔽部４０ｆが嵌まり込み、前端遮蔽部４０ｆの先端と噴射孔４１ｃとが水路となるわずかな隙間を介して近接対向している。したがって、この状態で、操作部１２を操作することで、ポンプを駆動してタンク１内の液体を液体通路２に供給し、双頭の吐出部３で２つの流れに分流するが、ノズルユニットＡの一対の接続部２０を経て連結部２１で合流し、吐水部１９を経て、噴霧ノズル４の水路４０ｅに流れ、水路４０ｅから流出孔４０ｉ、周溝４０ｈを経て傾斜溝４０ｇに流れ、傾斜溝４０ｇで噴霧ノズル４の軸方向に対して傾斜した方向の液流として高圧の液体を回転させ、そのまま直接噴射孔４１ｃから図１１（ｃ）のように、噴霧状に吐水される。したがって、植物に対して噴霧状に液体を供給することができることになる。この場合、タンク１内に薬液を入れておくことで、通常の噴霧器と同様にして薬液を植物に散布できるものである。このように噴霧吐水するには高圧状態が必要であり、前端遮蔽部４０ｆの先端と噴射孔４１ｃとを近づけて後述の液溜め部４２を設けないようにし、１つの小さな噴射孔４１から吐水することで、高圧状態（例えば４ｋｇ／ｃｍ２程度）での吐水が可能となる。
【００４３】
また、噴霧用ノズル部４１を指で摘んで回転して、図１０のように雌ねじ部４１ｂの雄ねじ部４０ｊへの螺合深さを浅くした場合には、前端遮蔽部４０ｆの先端と噴射孔４１ｃとの間の隙間が大きくなって、該隙間により液溜め部４２が形成される。したがって、この状態で、操作部１２を操作することで、ポンプを駆動してタンク１内の液体を液体通路２に供給し、双頭の吐出部３で２つの流れに分流するが、ノズルユニットＡの一対の接続部２０を経て連結部２１で合流し、吐水部１９を経て、噴霧ノズル４の水路４０ｅに流れ、水路４０ｅから流出孔４０ｉ、周溝４０ｈ、傾斜溝４０ｇを経て水だめ部４２に流れ、水だめ部４２内の液体が１つの噴射孔４１ｃから図１１（ｄ）のように噴射される。したがって、植物に対して噴射で液体を供給することができることになる。この場合、タンク１内に薬液を入れておくことで、薬液を植物に噴射して供給できる。また、タンク１内に水をいれておくことで、水を植物に噴射して供給できるものである。
【００４４】
上記のように、ノズル接続部１６の吐水部１９に噴霧ノズル４を取付けたり、あるいは噴霧ノズル４を取り外して代わりに吐水ノズル５を取付けたりするというように、噴霧ノズル４、吐水ノズル５を選択的に取付けることで、植物に対して異なる水流の水やりができ、しかも、添付図面の実施形態のように、噴霧ノズル４の噴霧用ノズル部４１を回動することで、噴霧、噴射が切り換えでき、また、吐水ノズル５の吐水用ノズル部３１を回動することで、シャワー、水さしが切り換えできるものである。
【００４５】
ところで、すでに述べた如く、添付図面に示す実施形態では図１２、図１３に示すように、双頭の吐出部３が首振り自在となっており、双頭の吐出部３を回動することで、水やりがし難い処（例えば高所）にある植物に対して、簡単且つ確実にシャワー、水さし、噴霧、噴射等の種々の水流で、水やり（本発明における水やりの概念にはすでに述べたように水のみの供給、液肥の供給、薬剤、農薬の供給等を含むものである）が可能となる。
【００４６】
【発明の効果】
上記のように請求項１記載にあっては、双頭の吐出部に装着されるノズルユニットを備え、該ノズルユニットは前記双頭の吐出部に接続される一対の接続部と、一対の接続部を連結する連結部と、連結部に設けた吐水部と、吐水部に接続されるノズルとから構成されるので、従来双頭のノズルを用いた広範囲の噴霧しかできなかった市販の装置を利用し、双頭の吐出部に簡単な構成のノズルユニットを接続するだけで１つのノズルによって目的とする範囲に確実に水やりができる水やり装置として使用することができるものである。
【００４７】
また、請求項２記載の発明にあっては、上記請求項１記載の発明の効果に加えて、双頭の吐出部が回動自在であるので、水やりし難い箇所であっても双頭の吐出部を回動することで、簡単且つ確実に水やりができるものである。
【００４８】
また、請求項３記載の発明にあっては、上記請求項１又は請求項２記載の発明の効果に加えて、ノズルが吐水ノズル又は噴霧ノズルであるので、目的に応じた多様な水やりが可能となるものである。
【図面の簡単な説明】
【図１】本発明の水やり装置の全体斜視図である。
【図２】同上の双頭の吐出部と、双頭の吐出部に選択的に取付ける噴霧ノズル及び吐水ノズルを示す正面図である。
【図３】同上の吐水ノズルを取付けたノズルユニットを双頭の吐出部に取付けた状態の側面断面図である。
【図４】同上の吐水ノズルを取付けたノズルユニットを双頭の吐出部に取付けた状態の正面断面図である。
【図５】（ａ）は同上の吐水ノズルを取付けたノズルユニットを双頭の吐出部に取付けた状態の正面図であり、（ｂ）は同上の平面図である。
【図６】同上の双頭の吐出部にノズルユニットを取付け且つノズルを外した状態の平面図である。
【図７】同上の吐水ノズルでシャワー吐水する場合の断面図である。
【図８】同上の吐水ノズルで水さし吐水する場合の断面図である。
【図９】同上の噴霧ノズルで噴霧吐水する場合の断面図である。
【図１０】同上の噴霧ノズルで噴射吐水する場合の断面図である。
【図１１】（ａ）は吐水ノズルでシャワー吐水している状態の斜視図であり、（ｂ）は吐水ノズルで水さし吐水している状態の斜視図であり、（ｃ）は噴霧ノズルで噴霧吐水をしている状態の斜視図であり、（ｄ）は噴霧ノズルで噴射吐水をしている状態の斜視図である。
【図１２】同上の双頭の吐出部の回動を示す側面図である。
【図１３】同上の双頭の吐出部の回動を示す斜視図である。
【符号の説明】
Ａ  ノズルユニット
３  双頭の吐出部
４  噴霧ノズル
５  吐水ノズル
１９  吐水部
２０  接続部
２１  連結部
【図１】
0003630000.tif 000002
【図２】
0003630000.tif 000003
【図３】
0003630000.tif 000004
【図４】
0003630000.tif 000005
【図５】
0003630000.tif 000006
【図６】
0003630000.tif 000007
【図７】
0003630000.tif 000008
【図８】
0003630000.tif 000009
【図９】
0003630000.tif 000010
【図１０】
0003630000.tif 000011
【図１１】
0003630000.tif 000012
【図１２】
0003630000.tif 000013
【図１３】
0003630000.tif 000014